(57)【要約】【課題】情報提供者が提供するプレゼンス情報を特定の第三者が利用でき、かつ情報提供者の秘匿性に配慮したプレゼンス情報の利用を可能にする。【解決手段】情報利用者側端末装置３１は、情報提供者のプレゼンス情報の収集をサーバ装置４１に依頼し、サーバ装置４１が情報提供者募集の広告および案内を情報提供者側端末装置２１に対し送信し、情報提供者側端末装置２１と連携して応募の受信および契約を行い、契約の内容と情報提供者側端末装置２１からのプレゼンス対象情報とから生成したプレゼンス情報を受信し、その生成されたプレゼンス情報の蓄積または統計処理をし、その統計処理したプレゼンス情報に対する料金処理およびその情報の蓄積を行って、情報提供者に対する報酬の支払を支援する。【選択図】            図１
2005031965.tif 000002
【特許請求の範囲】
【請求項１】
情報利用者側端末装置が、情報提供者側端末装置が開示したプレゼンス情報を、サーバ装置によるサービス制御のもとで通信ネットワークを介して利用するプレゼンス情報利用方法であって、
情報利用者側端末装置は、
プレゼンス情報の収集をサーバ装置に依頼する情報収集依頼ステップと、
前記サーバ装置が、情報提供者募集の広告および案内を情報提供者側端末装置に対し送信し、情報提供者側端末装置と連携して応募受信や契約を行い、前記契約の内容と情報提供者側端末装置からのプレゼンス対象情報とから生成されたプレゼンス情報を受信するプレゼンス情報受信ステップと、
生成された前記プレゼンス情報の蓄積または統計処理をするプレゼンス情報蓄積または統計処理ステップと、
統計処理されたプレゼンス情報に対する料金情報の蓄積を行って報酬の支払を支援する料金情報蓄積ステップと、を実施する
ことを特徴とするプレゼンス情報利用方法。
【請求項２】
情報利用者側端末装置が、情報提供者側端末装置が開示したプレゼンス情報を、サーバ装置によるサービス制御のもとで通信ネットワークを介して利用するプレゼンス情報利用方法であって、
情報提供者側端末装置は、
情報利用者側端末装置からの依頼にもとづきサーバ装置が行う広告および案内を受信する広告／案内受信ステップと、
募集の広告および案内に対する応募や契約をサーバ装置との間で支援する応募／契約ステップと、
プレゼンス対象情報をサーバ装置へ送信し、サーバ装置に情報利用者側端末で利用可能なプレゼンス情報を生成させるプレゼンス対象情報送信ステップと、を実施する
ことを特徴とするプレゼンス情報利用方法。
【請求項３】
情報利用者側端末装置が、情報提供者側端末装置が開示したプレゼンス情報を、サーバ装置によるサービス制御のもとで通信ネットワークを介して利用するプレゼンス情報利用方法であって、
サーバ装置は、
情報利用者側端末装置からプレゼンス情報の収集依頼を受けて、情報提供者側端末装置に対し情報提供者募集の広告および案内を送信する広告／案内ステップと、
募集の広告および案内に対して情報提供者の応募や契約を支援する応募／契約ステップと、
前記契約の内容と情報提供側端末装置から受信したプレゼンス対象情報とにもとづきプレゼンス情報を生成するプレゼンス情報生成ステップと、
生成したプレゼンス情報を情報利用者側端末装置へ送信するプレゼンス情報送信ステップと、を実施する
ことを特徴とするプレゼンス情報利用方法。
【請求項４】
前記プレゼンス情報が、情報提供者の人情報、位置情報、行動情報、趣味情報および気持ち情報などの項目を含むことを特徴とする請求項１乃至３のいずれかに記載のプレゼンス情報利用方法。
【請求項５】
前記プレゼンス情報の複数の項目のうち一部の項目が簡略化されることを特徴とする請求項１乃至３のいずれかに記載のプレゼンス情報利用方法。
【請求項６】
前記プレゼンス情報が、意味的に複数段のレベルに分けて抽象化されて生成されることを特徴とする請求項１乃至３のいずれかに記載のプレゼンス情報利用方法。
【請求項７】
前記プレゼンス情報中の情報提供者の人情報が、匿名化されて生成されることを特徴とする請求項１乃至３のいずれかに記載のプレゼンス情報利用方法。
【請求項８】
報酬支払の料金処理では、プレゼンス対象情報の各項目ごとに、プレゼンス対象情報の抽象化レベル、匿名化の有無または情報利用者の情報提供要求度に応じた重み付けに従って、単位料金を決めることを特徴とする請求項１乃至３のいずれかに記載のプレゼンス情報利用方法。
【請求項９】
前記報酬支払の料金処理では、プレゼンス対象情報の各項目ごとの単位料金にプレゼンス情報の開示時間および更新頻度を乗算し、各項目ごとの乗算結果を合算して情報提供料を決定することを特徴とする請求項８に記載のプレゼンス情報利用方法。
【請求項１０】
情報提供者側端末装置が開示したプレゼンス情報を、サーバ装置によるサービス制御のもとで通信ネットワークを介して利用する情報利用者側端末装置であって、
プレゼンス情報の収集をサーバ装置に依頼する情報収集依頼手段と、
前記サーバ装置が、情報提供者募集の広告および案内を情報提供者側端末装置に対し送信し、情報提供者側端末装置と連携して応募の受信および契約を行い、前記契約の内容と情報提供者側端末装置からのプレゼンス対象情報とから生成されたプレゼンス情報を受信するプレゼンス情報受信手段と、
生成された前記プレゼンス情報の蓄積または統計処理をするプレゼンス情報蓄積または統計処理手段と、
統計処理されたプレゼンス情報に対する料金情報の蓄積を行って報酬の支払を支援する料金情報蓄積手段と、を備えた
ことを特徴とする情報利用者側端末装置。
【請求項１１】
情報提供者が開示したプレゼンス情報を、サーバ装置によるサービス制御のもとで通信ネットワークを介して情報利用者側端末装置に利用させる情報提供者側端末装置であって、
情報利用者側端末装置からの依頼にもとづきサーバ装置が行う広告および案内を受信する広告／案内受信手段と、
募集の広告および案内に対する応募や契約をサーバ装置との間で支援する応募／契約手段と、
プレゼンス対象情報をサーバ装置へ送信し、サーバ装置に情報利用者側端末で利用可能なプレゼンス情報を生成させるプレゼンス対象情報送信手段と、を備えた
ことを特徴とする情報提供者側端末装置。
【請求項１２】
情報提供者側端末装置が開示したプレゼンス情報を、通信ネットワークを介して情報提供者側端末装置に利用させるサーバ装置であって、
情報利用者側端末装置からプレゼンス情報の収集依頼を受けて、情報提供者側端末装置に対し情報提供者募集の広告および案内を送信する広告／案内手段と、
募集の広告および案内に対して情報提供者の応募や契約を支援する応募／契約手段と、
前記契約の内容と情報提供側端末装置から受信したプレゼンス対象情報とにもとづきプレゼンス情報を生成するプレゼンス情報生成手段と、
生成したプレゼンス情報を情報利用者側端末装置へ送信するプレゼンス情報送信手段と、を備えた
ことを特徴とするサーバ装置。
【請求項１３】
情報利用者側端末装置が、情報提供者側端末装置が開示したプレゼンス情報を、サーバ装置によるサービス制御のもとで通信ネットワークを介して利用するプレゼンス情報利用方法であって、
情報利用者側端末装置は、
プレゼンス情報の収集をサーバ装置に依頼する情報収集依頼ステップと、
前記サーバ装置が、情報提供者募集の広告および案内を情報提供者側端末装置に対し送信し、情報提供者側端末装置と連携して応募の受信および契約を行い、情報提供者側端末装置において前記契約の内容と情報提供者側端末装置からのプレゼンス対象情報とから生成されたプレゼンス情報をサーバ装置を介して受信するプレゼンス情報受信ステップと、
生成された前記プレゼンス情報の蓄積または統計処理をする蓄積または統計処理ステップと、
統計処理されたプレゼンス情報に対する料金情報の蓄積を行って報酬の支払を支援する料金情報蓄積ステップと、を実施する
ことを特徴とするプレゼンス情報利用方法。
【請求項１４】
情報利用者側端末装置が、情報提供者側端末装置が開示したプレゼンス情報を、サーバ装置によるサービス制御のもとで通信ネットワークを介して利用するプレゼンス情報利用方法であって、
情報提供者側端末装置は、
情報利用者側端末装置からの依頼にもとづきサーバ装置が行う広告および案内を受信する広告／案内受信ステップと、
募集の広告および案内に対する応募や契約をサーバ装置との間で支援する応募／契約ステップと、
プレゼンス対象情報と前記契約の内容とにもとづきプレゼンス情報を生成するプレゼンス情報生成ステップと、
サーバ装置に対し生成した前記プレゼンス情報を送信するプレゼンス情報送信ステップと、を実施する
ことを特徴とするプレゼンス情報利用方法。
【請求項１５】
情報利用者側端末装置が、情報提供者側端末装置が開示したプレゼンス情報を、サーバ装置によるサービス制御のもとで通信ネットワークを介して利用するプレゼンス情報利用方法であって、
サーバ装置は、
情報利用者側端末装置からプレゼンス情報の収集依頼を受けて、情報提供者側端末装置に対し情報提供者募集の広告および案内を送信する広告／案内ステップと、
募集の広告および案内に対して情報提供者の応募や契約を情報提供者側端末装置との間で支援する応募／契約ステップと、
前記情報提供者側端末装置において前記契約の内容とプレゼンス対象情報とにもとづき生成されたプレゼンス情報を受信し、前記情報利用者側端末装置へ送信するプレゼンス情報送信ステップと、を実施する
ことを特徴とするプレゼンス情報利用方法。
【請求項１６】
前記プレゼンス情報が、情報提供者の人情報、位置情報、行動情報、趣味情報および気持ち情報などの項目を含むことを特徴とする請求項１３乃至１５のいずれかに記載のプレゼンス情報利用方法。
【請求項１７】
前記プレゼンス情報の複数の項目のうち一部の項目が簡略化されることを特徴とする請求項１３乃至請求項１５のいずれかに記載のプレゼンス情報利用方法。
【請求項１８】
前記プレゼンス情報が、意味的に複数段のレベルに分けて抽象化されて生成されることを特徴とする請求項１３乃至請求項１５のいずれかに記載のプレゼンス情報利用方法。
【請求項１９】
前記プレゼンス情報中の情報提供者の人情報が、匿名化されて生成されることを特徴とする請求項１３乃至請求項１５のいずれかに記載のプレゼンス情報利用方法。
【請求項２０】
報酬支払の料金処理では、プレゼンス対象情報の各項目ごとに、プレゼンス対象情報の抽象化レベル、匿名化の有無または情報利用者の情報提供要求度に応じた重み付けに従って、単位料金を決めることを特徴とする請求項１３乃至請求項１５のいずれかに記載のプレゼンス情報利用方法。
【請求項２１】
前記報酬支払の料金処理では、プレゼンス対象情報の各項目ごとの単位料金にプレゼンス情報の開示時間および更新頻度を乗算し、各項目ごとの乗算結果を合算して情報提供料を決定することを特徴とする請求項２０に記載のプレゼンス情報利用方法。
【請求項２２】
情報提供者側端末装置が開示したプレゼンス情報を、サーバ装置によるサービス制御のもとで通信ネットワークを介して利用する情報利用者側端末装置であって、
プレゼンス情報の収集をサーバ装置に依頼する情報収集依頼手段と、
前記サーバ装置が、情報提供者募集の広告および案内を情報提供者側端末装置に対し送信し、情報提供者側端末装置と連携して応募の受信および契約を行い、情報提供者側端末装置において前記契約の内容と情報提供者のプレゼンス対象情報とから生成されたプレゼンス情報をサーバ装置を介して受信するプレゼンス情報受信手段と、
生成された前記プレゼンス情報の蓄積または統計処理をするプレゼンス情報蓄積または統計処理手段と、
統計処理されたプレゼンス情報に対する料金情報の蓄積を行って報酬の支払を支援する料金情報蓄積手段と、を備えた
ことを特徴とする情報利用者側端末装置。
【請求項２３】
情報提供者が開示したプレゼンス情報を、サーバ装置によるサービス制御のもとで通信ネットワークを介して情報利用者側端末装置に利用させる情報提供者側端末装置であって、
情報利用者側端末装置からの依頼にもとづきサーバ装置が行う広告および案内を受信する広告／案内受信手段と、
募集の広告および案内に対する応募や契約をサーバ装置との間で支援する応募／契約手段と、
プレゼンス対象情報と前記契約の内容とにもとづきプレゼンス情報を生成するプレゼンス情報生成手段と、
サーバ装置に対し生成した前記プレゼンス情報を送信するプレゼンス情報送信手段と、を備えた
ことを特徴とする情報提供者側端末装置。
【請求項２４】
情報提供者側端末装置が開示したプレゼンス情報を、通信ネットワークを介して情報利用者側端末装置に利用させるサーバ装置であって、
情報利用者側端末装置からプレゼンス情報の収集依頼を受けて、情報提供者側端末装置に対し情報提供者募集の広告および案内を送信する広告／案内ステップと、
募集の広告および案内に対して情報提供者の応募受信や契約を情報提供者側端末装置との間で支援する応募受信／契約手段と、
前記情報提供者側端末装置において前記契約の内容とプレゼンス対象情報とにもとづき生成されたプレゼンス情報を受信し、前記情報利用者側端末装置へ送信するプレゼンス情報送信手段と、を備えた
ことを特徴とするサーバ装置。
【発明の詳細な説明】
【０００１】
【発明の属する技術分野】
本発明は、人の気持ち、居場所、体重／脈拍／血圧等の生体情報等を含む状態、状況等のプレゼンス情報を、移動通信を含む通信ネットワークを使い、特定の相手に開示し利用を可能にするプレゼンス情報利用方法、情報利用者側端末装置、情報提供者側端末装置およびサーバ装置に関する。
【０００２】
【従来の技術】
従来のプレゼンス情報は、発信者が着信者の状態を通信を始める前に知って、着信者の迷惑にならない通信手段を選択する場合などに利用されている。これは、例えば通信相手に対し、どのコミュニケーションツール（通信手段）を使用すればよいかを判断するために、その通信相手のユーザＩＤから、通信相手が所持しているコミュニケーションツールの名前およびそのコミュニケーションツールの利用状況を検索するというものである（例えば、特許文献１参照）。
【０００３】
また、相手がコンピュータをインターネットに接続していることを知って、今、メッセージを送ればすぐに読んでもらえるものと考えてメッセージを送信したものの、その相手は離席して席に戻るまでの間、読まれないことがあるという問題を解決するシステムも公開されている。即ち、相手が自席についているかどうか（プレゼンス情報）が分かるようにするシステムが提案されている（例えば、特許文献２参照）。
【０００４】
さらに、移動通信におけるプレゼンス機能は、通信相手が所持しているコミュニケーションツールや、そのコミュニケーションツールの利用状況等の「ＰＣ周り」についてや、自席に座っているかどうかの「座席」についてだけでなく、もっと細かなことを扱った「生活プレゼンス機能」が加わるとする提案がなされている。また、この提案ではビジネス分野でも、出社すると自動的に出勤簿に○がつく等の「あらゆる場所における状況報告」が無意識に行えるようになると予想している（例えば、非特許文献１参照）。
【０００５】
【特許文献１】
特許第３３０４８８７号公報
【特許文献２】
特開２００２−７３５１２号公報
【非特許文献１】
竹上  慶「モバイル・インスタント・メッセージング・サービス市場の現場と今後」情報通信総合研究書、ＩｎｆｏＣｏｍニュースレター、２００２年５月
【０００６】
【発明が解決しようとする課題】
前記のとおり、従来のプレゼンス情報は、自分がこれから行う通信を補完するかたちで使われていたり、自分の報告の手間を省くことに使われているにすぎない。つまり、プレゼンス情報を自分が行う通信から切り離し、また自分のためからも切り離し、独立した情報として第三者が利用できるように取り組みはなされていない。
【０００７】
本発明は前記のような従来の問題を解決するものであり、プレゼンス情報を自分が行う通信から切り離し、自分のためからも切り離し、独立した情報として第三者が活用できるようにするプレゼンス情報利用方法、情報利用者側端末装置、情報提供者側端末装置およびサーバ装置を提供することを目的とする。
【０００８】
また、本発明は、プレゼンス情報を特定の第三者が利用できるようにし、特に第三者に情報を提供するときの課題となる情報提供者の秘匿性に配慮したプレゼンス情報利用方法、情報利用者側端末装置、情報提供者側端末装置およびサーバ装置を提供することを目的とする。
【０００９】
【課題を解決するための手段】
前記目的達成のために、請求項１の発明にかかるプレゼンス情報利用方法は、情報利用者側端末装置が、情報提供者側端末装置が開示したプレゼンス情報を、サーバ装置によるサービス制御のもとで通信ネットワークを介して利用するプレゼンス情報利用方法であって、情報利用者側端末装置は、プレゼンス情報の収集をサーバ装置に依頼する情報収集依頼ステップと、前記サーバ装置が、情報提供者募集の広告および案内を情報提供者側端末装置に対し送信し、情報提供者側端末装置と連携して応募受信や契約を行い、前記契約の内容と情報提供者側端末装置からのプレゼンス対象情報とから生成されたプレゼンス情報を受信するプレゼンス情報受信ステップと、生成された前記プレゼンス情報の蓄積または統計処理をするプレゼンス情報蓄積または統計処理ステップと、統計処理されたプレゼンス情報に対する料金情報の蓄積を行って報酬の支払を支援する料金情報蓄積ステップと、を実施することを特徴とする。
【００１０】
これにより、情報利用者側端末装置は応募があった情報提供者側端末装置からのプレゼンス情報について統計処理を行って、プレゼンス情報の必要度、重要度に応じた報酬の支払を情報提供者に対して実施できる。
【００１１】
また、請求項２の発明にかかるプレゼンス情報利用方法は、情報利用者側端末装置が、情報提供者側端末装置が開示したプレゼンス情報を、サーバ装置によるサービス制御のもとで通信ネットワークを介して利用するプレゼンス情報利用方法であって、情報提供者側端末装置は、情報利用者側端末装置からの依頼にもとづきサーバ装置が行う広告および案内を受信する広告／案内受信ステップと、募集の広告および案内に対する応募受信や契約をサーバ装置との間で支援する応募／契約ステップと、プレゼンス対象情報をサーバ装置へ送信し、サーバ装置に情報利用者側端末で利用可能なプレゼンス情報を生成させるプレゼンス対象情報送信ステップと、を実施することを特徴とする。
【００１２】
これにより、情報提供者側端末装置では、情報利用者側端末装置の広告や案内に情報提供者が応募し、プレゼンス情報を生成してサージ装置へ提供した場合には、その提供した情報の必要度、重要度に応じた報酬の支払を情報提供者が受けることができる。
【００１３】
また、請求項３の発明にかかるプレゼンス情報利用方法は、サーバ装置が、情報利用者側端末装置が、情報提供者側端末装置が開示したプレゼンス情報を、サーバ装置によるサービス制御のもとで通信ネットワークを介して利用するプレゼンス情報利用方法であって、サーバ装置は、情報利用者側端末装置からプレゼンス情報の収集依頼を受けて、情報提供者側端末装置に対し情報提供者募集の広告および案内を送信する広告／案内ステップと、募集の広告および案内に対して情報提供者の応募受信や契約を支援する応募受信／契約ステップと、前記契約の内容と情報提供側端末装置から受信したプレゼンス対象情報とにもとづきプレゼンス情報を生成するプレゼンス情報生成ステップと、生成したプレゼンス情報を情報利用者側端末装置へ送信するプレゼンス情報送信ステップと、を実施することを特徴とする。
【００１４】
これにより、サーバ装置は、情報利用者側端末装置から収集依頼を受けて情報提供者側端末装置へ広告および案内を出し、応募があったとき契約を交わし、この契約とプレゼンス対象情報とからプレゼンス情報を生成して情報利用者側端末装置へ送信するとともに、情報提供に対する料金処理を行うようなサービスを実施する。
【００１５】
また、請求項４の発明にかかるプレゼンス情報利用方法は、前記プレゼンス情報が、情報提供者の人情報、位置情報、行動情報、趣味情報および気持ち情報などの項目を含むことを特徴とする。
【００１６】
これにより、情報提供者自身の人情報、位置情報、行動情報、趣味情報および気持ち情報などのプレゼンス情報を商取引の対象として、経済的価値を生むことができる。
【００１７】
また、請求項５の発明にかかるプレゼンス情報利用方法は、前記プレゼンス情報の複数の項目のうち一部の項目が簡略化されることを特徴とする。
【００１８】
これにより、特に重要でないプレゼンス情報では、例えば抽象化レベルの高い情報などを料金決定のための統計処理の対象としないようにすることができる。
【００１９】
また、請求項６の発明にかかるプレゼンス情報利用方法は、前記プレゼンス情報が、意味的に複数段のレベルに分けて抽象化されて生成されることを特徴とする。
【００２０】
これにより、開示されたプレゼンス情報の抽象化レベルに応じた報酬を決定することができる。
【００２１】
また、請求項７の発明にかかるプレゼンス情報利用方法は、前記プレゼンス情報中の情報提供者の人情報が、匿名化されて生成されることを特徴とする。
【００２２】
これにより、プレゼンス情報として実名を開示する場合に比べて、個人情報の流出を抑えることができ、また情報提供者に対する報酬を少なく抑えることができる。
【００２３】
また、請求項８の発明にかかるプレゼンス情報利用方法は、報酬支払の料金処理では、プレゼンス対象情報の各項目ごとに、プレゼンス対象情報の抽象化レベル、匿名化の有無または情報利用者の情報提供要求度に応じた重み付けに従って、単位料金を決めることを特徴とする。
【００２４】
これにより、プレゼンス情報の開示レベルに対応して、情報利用者の要求または希望に合った報酬を情報提供料として決定することができる。
【００２５】
また、請求項９の発明にかかるプレゼンス情報利用方法は、前記報酬支払の料金処理では、プレゼンス対象情報の各項目ごとの単位料金にプレゼンス情報の開示時間および更新頻度を乗算し、各項目ごとの乗算結果を合算して情報提供料を決定することを特徴とする。
【００２６】
これにより、情報開示時間および更新頻度に見合った報酬を情報提供料として決定することができる。
【００２７】
また、請求項１０の発明にかかる情報利用者側端末装置は、情報提供者側端末装置が開示したプレゼンス情報を、サーバ装置によるサービス制御のもとで通信ネットワークを介して利用する情報利用者側端末装置であって、プレゼンス情報の収集をサーバ装置に依頼する情報収集依頼手段と、前記サーバ装置が、情報提供者募集の広告および案内を情報提供者側端末装置に対し送信し、情報提供者側端末装置と連携して応募の受信および契約を行い、前記契約の内容と情報提供者側端末装置からのプレゼンス対象情報とから生成されたプレゼンス情報を受信するプレゼンス情報受信手段と、生成された前記プレゼンス情報の蓄積または統計処理をするプレゼンス情報蓄積または統計処理手段と、統計処理されたプレゼンス情報に対する料金情報の蓄積を行って報酬の支払を支援する料金情報蓄積手段と、を備えたことを特徴とする。
【００２８】
これにより、サーバ装置が情報提供者側端末装置と交わした契約にもとづき生成された、プレゼンス情報に応じた報酬料金を決定して情報提供者に支払うことができる。
【００２９】
また、請求項１１の発明にかかる情報提供者側端末装置は、情報提供者が開示したプレゼンス情報を、サーバ装置によるサービス制御のもとで通信ネットワークを介して情報利用者側端末装置に利用させる情報提供者側端末装置であって、情報利用者側端末装置からの依頼にもとづきサーバ装置が行う広告および案内を受信する広告／案内受信手段と、募集の広告および案内に対する応募や契約をサーバ装置との間で支援する応募／契約手段と、プレゼンス対象情報をサーバ装置へ送信し、サーバ装置に情報利用者側端末で利用可能なプレゼンス対象情報を生成させるプレゼンス対象情報送信手段と、を備えたことを特徴とする。
【００３０】
これにより、サーバ装置と交わした契約にもとづき、プレゼンス情報をサーバ装置を介して情報利用者側端末装置へ送信でき、この結果、そのプレゼンス情報に応じた報酬料金を情報利用者から受け取ることができる。
【００３１】
また、請求項１２の発明にかかるサーバ装置は、情報提供者側端末装置が開示したプレゼンス情報を、通信ネットワークを介して情報提供者側端末装置に利用させるサーバ装置であって、情報利用者側端末装置からプレゼンス情報の収集依頼を受けて、情報提供者側端末装置に対し情報提供者募集の広告および案内を送信する広告／案内手段と、募集の広告および案内に対して情報提供者の応募や契約を支援する応募／契約手段と、前記契約の内容と情報提供側端末装置から受信したプレゼンス対象情報とにもとづきプレゼンス情報を生成するプレゼンス情報生成手段と、生成したプレゼンス情報を情報利用者側端末装置へ送信するプレゼンス情報送信手段と、を備えたことを特徴とする。
【００３２】
これにより、サーバ装置は、情報利用者側端末装置から収集依頼を受けて情報提供者側端末装置へ広告および案内を出し、応募があったとき契約を交わし、この契約と情報提供者のプレゼンス対象情報とからプレゼンス情報を生成して情報利用者側端末装置へ送信するとともに、情報提供に対する料金処理を行うようなサービスを実施できる。
【００３３】
また、請求項１３の発明にかかるプレゼンス情報利用方法は、情報利用者側端末装置が、情報提供者側端末装置が開示したプレゼンス情報を、サーバ装置によるサービス制御のもとで通信ネットワークを介して利用するプレゼンス情報利用方法であって、情報利用者側端末装置は、プレゼンス情報の収集をサーバ装置に依頼する情報収集依頼ステップと、前記サーバ装置が、情報提供者募集の広告および案内を情報提供者側端末装置に対し送信し、情報提供者側端末装置と連携して応募の受信および契約を行い、情報提供者側端末装置において前記契約の内容と情報提供者側端末装置からのプレゼンス対象情報とから生成されたプレゼンス情報をサーバ装置を介して受信するプレゼンス情報受信ステップと、生成された前記プレゼンス情報の蓄積または統計処理をするプレゼンス情報蓄積または統計処理ステップと、統計処理されたプレゼンス情報に対する料金情報の蓄積を行って報酬の支払を支援する料金情報蓄積ステップと、を実施することを特徴とする。
【００３４】
これにより、情報利用者側端末は応募があった情報提供者のプレゼンス情報をサーバ装置を介して受け統計処理を行って、情報の必要度、重要度に応じた報酬の支払を情報提供者に対して実施できる。
【００３５】
また、請求項１４の発明にかかるプレゼンス情報利用方法は、情報利用者側端末装置が、情報提供者側端末装置が開示したプレゼンス情報を、サーバ装置によるサービス制御のもとで通信ネットワークを介して利用するプレゼンス情報利用方法であって、情報提供者側端末装置は、情報利用者側端末装置からの依頼にもとづきサーバ装置が行う広告および案内を受信する広告／案内受信ステップと、募集の広告および案内に対する応募や契約をサーバ装置との間で支援する応募／契約ステップと、プレゼンス対象情報と前記契約の内容とにもとづきプレゼンス情報を生成するプレゼンス情報生成ステップと、サーバ装置に対し生成した前記プレゼンス情報を送信するプレゼンス情報送信ステップと、を実施することを特徴とする。
【００３６】
これにより、情報提供者側端末装置では、サーバ装置からの広告や案内に情報提供者が応募し、プレゼンス情報を生成してサーバ装置へ提供した場合には、情報利用者からその提供した情報の必要度、重要度に応じた報酬の支払を情報提供者が受けることができる。
【００３７】
また、請求項１５の発明にかかるプレゼンス情報利用方法は、情報利用者側端末装置が、情報提供者側端末装置が開示したプレゼンス情報を、サーバ装置によるサービス制御のもとで通信ネットワークを介して利用するプレゼンス情報利用方法であって、サーバ装置は、情報利用者側端末装置からプレゼンス情報の収集依頼を受けて、情報提供者側端末装置に対し情報提供者募集の広告および案内を送信する広告／案内ステップと、募集の広告および案内に対して情報提供者の応募や契約を情報提供者側端末装置との間で支援する応募／契約ステップと、前記情報提供者側端末装置において前記契約の内容とプレゼンス対象情報とにもとづき生成されたプレゼンス情報を受信し、前記情報利用者側端末装置へ送信するプレゼンス情報送信ステップと、を実施することを特徴とする。
【００３８】
これにより、サーバ装置は、情報利用者側端末装置から収集依頼を受けて情報提供者側端末装置へ広告および案内を出し、応募があったとき契約を交わし、この契約と情報提供者側端末装置からのプレゼンス対象情報とからプレゼンス情報を生成して情報利用者側端末装置へ送信するとともに、情報提供に対する料金処理を行うようなサービスを実施する。
【００３９】
また、請求項１６の発明にかかるプレゼンス情報利用方法は、前記プレゼンス情報が、情報提供者の人情報、位置情報、行動情報、趣味情報および気持ち情報などの項目を含むことを特徴とする。
【００４０】
これにより、情報提供者自身の人情報、位置情報、行動情報、趣味情報および気持ち情報などのプレゼンス情報を商取引の対象として、経済的価値を生むことができる。
【００４１】
また、請求項１７の発明にかかるプレゼンス情報利用方法は、前記プレゼンス情報の複数の項目のうち一部の項目が簡略化されることを特徴とする。
【００４２】
これにより、特に重要でないプレゼンス情報では、例えば抽象化レベルの高い情報などを料金決定のための統計処理の対象としないようにすることができる。
【００４３】
また、請求項１８の発明にかかるプレゼンス情報利用方法は、前記プレゼンス情報が、意味的に複数段のレベルに分けて抽象化されて生成されることを特徴とする。
【００４４】
これにより、開示されたプレゼンス情報の抽象化レベルに応じた報酬を決定することができる。
【００４５】
また、請求項１９の発明にかかるプレゼンス情報利用方法は、前記プレゼンス情報中の情報提供者の人情報が、匿名化されて生成されることを特徴とする。
【００４６】
これにより、プレゼンス情報として実名を開示する場合に比べて、個人情報の流出を抑えることができ、また情報提供者に対する報酬を少なく抑えることができる。
【００４７】
また、請求項２０の発明にかかるプレゼンス情報利用方法は、報酬支払の料金処理では、プレゼンス対象情報の各項目ごとに、プレゼンス対象情報の抽象化レベル、匿名化の有無または情報利用者の情報提供要求度に応じた重み付けに従って、単位料金を決めることを特徴とする。
【００４８】
これにより、プレゼンス情報の開示レベルに対応して情報利用者の要求または希望に合った報酬を情報提供料として決定することができる。
【００４９】
また、請求項２１の発明にかかるプレゼンス情報利用方法は、前記報酬支払の料金処理では、プレゼンス対象情報の各項目ごとの単位料金にプレゼンス情報の開示時間および更新頻度を乗算し、各項目ごとの乗算結果を合算して情報提供料を決定することを特徴とする。
【００５０】
これにより、情報開示時間および更新頻度に見合った報酬を情報提供料として決定することができる。
【００５１】
また、請求項２２の発明にかかる情報利用者側端末装置は、情報提供者側端末装置が開示したプレゼンス情報を、サーバ装置によるサービス制御のもとで通信ネットワークを介して利用する情報利用者側端末装置であって、プレゼンス情報の収集をサーバ装置に依頼する情報収集依頼手段と、前記サーバ装置が、情報提供者募集の広告および案内を情報提供者側端末装置に対し送信し、情報提供者側端末装置と連携して応募の受信および契約を行い、前記契約の内容と情報提供者側端末装置からのプレゼンス対象情報とから生成されたプレゼンス情報を受信するプレゼンス情報受信手段と、生成された前記プレゼンス情報の蓄積または統計処理をするプレゼンス情報蓄積または統計処理手段と、統計処理されたプレゼンス情報に対する料金情報の蓄積を行って報酬の支払を支援する料金情報蓄積手段と、を備えたことを特徴とする。
【００５２】
これにより、サーバ装置が情報提供者側端末装置と交わした契約にもとづき生成された、プレゼンス情報に応じた報酬料金を決定して、情報利用者が情報提供者に支払うことができる。
【００５３】
また、請求項２３の発明にかかる情報提供者側端末装置は、情報提供者が開示したプレゼンス情報を、サーバ装置によるサービス制御のもとで通信ネットワークを介して情報利用者側端末装置に利用させる情報提供者側端末装置であって、情報利用者側端末装置からの依頼にもとづきサーバ装置が行う広告および案内を受信する広告／案内受信手段と、募集の広告および案内に対する応募や契約をサーバ装置との間で支援する応募／契約手段と、プレゼンス対象情報をサーバ装置へ送信し、サーバ装置に情報利用者側端末で利用可能なプレゼンス対象情報を生成させるプレゼンス対象情報送信手段と、を備えたことを特徴とする。
【００５４】
これにより、サーバ装置と交わした契約にもとづき、プレゼンス情報をサーバ装置を介して情報利用者側端末装置へ送信でき、この結果、そのプレゼンス情報に応じた報酬料金を情報利用者から受け取ることができる。
【００５５】
また、請求項２４の発明にかかるサーバ装置は、情報提供者側端末装置が開示したプレゼンス情報を、通信ネットワークを介して情報提供者側端末装置に利用させるサーバ装置であって、情報利用者側端末装置からプレゼンス情報の収集依頼を受けて、情報提供者側端末装置に対し情報提供者募集の広告および案内を送信する広告／案内手段と、募集の広告および案内に対して情報提供者の応募や契約を支援する応募／契約手段と、前記契約の内容と情報提供側端末装置から受信したプレゼンス対象情報とにもとづきプレゼンス情報を生成するプレゼンス情報生成手段と、生成したプレゼンス情報を情報利用者側端末装置へ送信するプレゼンス情報送信手段と、を備えたことを特徴とする。
【００５６】
これにより、サーバ装置は、情報利用者側端末装置から収集依頼を受けて情報提供者側端末装置へ広告および案内を出し、応募があったとき契約を交わし、この契約と情報提供者のプレゼンス対象情報とにもとづき情報提供者側端末装置で生成されたプレゼンス情報を情報利用者側端末装置へ送信するとともに、情報提供に対する料金処理を行うようなサービスを実施できる。
【００５７】
【発明の実施の形態】
以下、本発明にかかるプレゼンス情報利用方法の実施の形態を、図面を参照して詳細に説明する。
【００５８】
図２はプレゼンス情報利用方法を実施するためのプレゼンス情報利用システムを示す概念図である。
【００５９】
このプレゼンス情報利用システムは、移動体通信を含む通信ネットワーク１０と、プレゼンス情報提供者５１の情報提供者側端末装置２１，２２と、プレゼンス情報利用者６１の情報利用者側端末装置３１と、サーバ装置４１とから構成され、全ての端末装置２１，２２，３１およびサーバ装置４１は通信ネットワーク１０に接続されている。そして、情報提供者側端末装置２１，２２はプレゼンス情報送信手段２１５，２２４を持ち、情報利用者側端末装置３１はプレゼンス情報蓄積または統計処理手段３１３を持ち、サーバ装置４１はプレゼンス情報生成手段４１６および料金処理手段１４８を持っている。
【００６０】
図１は前記各端末装置２１，２２，３１およびサーバ装置４１の内部構成を詳細に示すブロック図である。ここでは、通信ネットワーク１０が省かれている。
【００６１】
情報提供側端末装置２１は、広告／案内受信手段２１１、応募／契約手段２１２、契約内容蓄積手段２１３、プレゼンス対象情報蓄積手段２１４およびプレゼンス情報送信手段２１５を有する。
【００６２】
これらのうち、広告／案内受信手段２１１はサーバ装置４１からの広告や案内情報を受信するように機能し、応募／契約手段２１２はサーバ装置４１との間でプレゼンス情報について応募や契約を連携して支援するように機能する。また、プレゼンス対象情報送信手段２１５はプレゼンス対象情報蓄積手段２１４内のプレゼンス情報をサーバ装置４１へ送信するように機能する。これらの各手段の機能により、サーバ装置４１へプレゼンス対象情報の更新の都度、定時または一定のプレゼンス対象情報の発生時に、プレゼンス対象情報の送信を可能にしている。
【００６３】
また、前記情報提供者側端末装置２２は、情報提供側端末装置２１におけるものと同様の構成、機能を持つ契約内容蓄積手段２２１、プレゼンス対象情報蓄積手段２２２およびプレゼンス対象情報送信手段２２４に加えて、外部のセンサ２３の出力情報を蓄積するセンサ情報蓄積手段２２３を備えている。
【００６４】
一方、前記情報利用者側端末装置３１は、プレゼンス情報収集依頼手段３１１、プレゼンス情報受信手段３１２、前記プレゼンス情報蓄積または統計処理手段３１３、および料金情報蓄積手段３１４を備えている。
【００６５】
これらのうち、プレゼンス情報収集依頼手段３１１はサーバ装置４１に対しプレゼンス情報の収集を依頼するように機能する。プレゼンス情報受信手段３１２はサーバ装置４１から送信されるプレゼンス情報を受信し、これをプレゼンス情報蓄積または統計処理手段３１３に蓄積させ、または統計処理させるように機能する。料金情報蓄積手段３１４はサーバ装置４１から出力された料金処理結果の料金情報をオンラインで受信し、プレゼンス情報提供者５１への報酬の支払を支援するように機能する。これらの各機能により、プレゼンス情報の蓄積や統計処理、およびプレゼンス情報提供者に対する日本銀行券、ネットマネー、ポイントなどによる報酬の支払が可能になる。
【００６６】
前記サーバ装置４１は、プレゼンス情報収集受付手段４１１、広告案内手段４１２、応募受信／契約手段４１３、契約内容蓄積手段４１４、プレゼンス対象情報受信手段４１５、プレゼンス情報生成手段４１６、プレゼンス情報送信手段４１７および料金処理手段４１８を備えている。
【００６７】
これらのうち、プレゼンス情報収集受付手段４１１は情報利用者側端末装置３１から送信されるプレゼンス情報の収集依頼情報を受信するように機能する。広告案内手段４１２は情報提供者側端末装置２１へプレゼンス情報提供者の募集の広告、案内を送信するものである。応募受信／契約４１３は情報提供者側端末装置２１と連携して応募や契約を支援するものである。プレゼンス情報生成手段４１６は契約内容蓄積手段４１４に蓄積された契約内容と、情報提供者側端末装置２１、２２から送信されてプレゼンス対象情報受信手段４１５で受信したプレゼンス対象情報とにもとづいて、プレゼンス情報を生成するように機能する。
【００６８】
また、プレゼンス情報送信手段４１７は生成された前記プレゼンス情報を情報利用者側端末装置３１へ送信するものであり、料金処理手段４１８はプレゼンス対象情報の料金処理をして料金情報を情報利用者側端末装置３１へ出力するものである。これらの各手段により、プレゼンス情報の生成と料金処理が可能になる。
【００６９】
図３はプレゼンス情報を説明する図である。図３（ａ）は、プレゼンス情報の概念を表しており、プレゼンス情報提供者の物理空間に関する情報を現在のみならず過去、未来にわたって対象にすることを示している。図３（ｂ）は、現在のプレゼンス情報例を具体的に示したものである。プレゼンス情報には気持ち、位置情報、体重／脈拍／血圧等の生体情報が含まれている。ここでプレゼンス対象情報としたのは、後に説明するプレゼンス情報の抽象化との関連から、その抽象化の元になる（対象になる）情報という意味で対象情報とした。従って、抽象化しない場合はプレゼンス対象情報＝プレゼンス情報となる。
【００７０】
図４はサーバ装置４１内の各プレゼンス情報の生成手段４１６によるプレゼンス情報の生成方法を示す説明図である。
【００７１】
図４（ａ）は情報の項目の簡略化および抽象化の例を示している。簡略化については湿度および使用道具の２項目が項目の簡略化を行うときの対象項目であることを示している。抽象化については、Ｌ０〜Ｌ３までの４段階に分けた例を示している。Ｌ０はプレゼンス対象情報そのものであり抽象化の程度が最も低く、Ｌ３は抽象化の程度が最も高くなっている。図４（ｂ）は匿名化の例である。氏名をＭ子、住所をＭ市としている。
【００７２】
図５は料金処理を説明する図である。項目例として体重、位置情報、行動の３項目をとりあげている。処理には単位料金の処理と料金の処理がある。
【００７３】
まず、単位料金の処理について説明する。単位料金の「基本」は、現在、過去、未来のいずれの情報を対象にする場合でも１Ｐであるとし、ここでは現在をとりあげている。「重みづけ」は、プレゼンス情報利用者が情報の提供を強く望む項目であり、ここでは体重が該当し、該当項目の単位料金を１０倍にしている。「抽象化」は、図４のＬ０〜Ｌ３のどの段階を選択したかであり、Ｌ０の場合は単位料金が１０倍、Ｌ１は１倍、Ｌ２は０．５倍、Ｌ３は０．１倍になるとし、ここではＬ１を選択している。
【００７４】
図５において、「匿名化」は、匿名化しない即ち実名の場合は単位料金が１０倍、匿名化は１倍であるとし、ここでは匿名化を行っている。前記の結果体重の単位料金は１０Ｐに、位置情報と行動の単位料金は１Ｐになる。
【００７５】
次に、料金の処理について説明する。開示期間料金は１時間１単位料金であるとし、本例では１０時間開示した場合を示している。また更新頻度料金は１回１単位料金であるとし、ここでは体重が１回、位置情報が１０回、行動が２０回更新している。この結果開示期間料金は１２０Ｐに、更新頻度料金は４０Ｐになり、合計１６０Ｐとなる。
【００７６】
図６は前記プレゼンス情報利用システムの動作を示すフローチャートである。以下、このフローチャートを参照して本発明のプレゼンス情報利用の手順を説明する。
【００７７】
まず、プレゼンス情報利用者６１は、情報利用者側端末装置３１のプレゼンス情報収集依頼手段３１１を通じて、サーバ装置４１のプレゼンス情報収集受付手段４１１にプレゼンス情報の収集を依頼する（ステップＳ１０１）。このため、サーバ装置４１は情報提供者側端末装置２１に対し広告および案内を送信する（ステップＳ１０２）。情報提供者側端末装置２１はこれらの広告および案内を広告／案内受信手段２１１にて受信し、応募／契約手段２１２を通じてサーバ装置４１の応募受信／契約手段４１３との間で応募や契約を交わす（ステップＳ１０３，Ｓ１０４）。これらの契約の内容は、サーバ装置４１の契約内容蓄積手段４１４においてそれぞれ蓄積される。
【００７８】
一方、サーバ装置４１では、情報提供者側端末装置２１のプレゼンス対象情報蓄積手段２１４からプレゼンス対象情報送信手段２１５を介してプレゼンス対称情報受信手段４１５にプレゼンス対象情報を送信する（ステップＳ１０５）。このプケゼンス対象情報と前記契約内容とからプレゼンス情報生成手段４１６がプレゼンス情報を生成する（ステップＳ１０６）。ここでは、プレゼンス対象情報の項目の前記簡略化および抽象化が行われる。このプレゼンス情報はプレゼンス情報送信手段１４７を通じて情報利用者側端末装置３１に送信され（ステップＳ１０７）、プレゼンス情報受信手段３１２にて受信される。
【００７９】
また、情報利用者側端末装置３１では、プレゼンス情報蓄積または統計手段３１３がプレゼンス情報の蓄積または統計処理を行う（ステップＳ１１２）。サーバ装置４１では、料金処理手段４１８が料金処理を行う（ステップＳ１０８）。そして、契約期間内であればステップＳ１０５以降の処理に戻り（ステップＳ１０９）、契約満了であれば、サーバ装置４１が料金情報を情報利用者側端末装置３１へ送信する（ステップＳ１１０）。この情報利用者側端末装置３１では、料金情報蓄積手段３１４がその料金情報を蓄積し、プレゼンス情報提供者２１に対し報酬の支払を行う（ステップＳ１１１）。
【００８０】
また、ステップＳ１０８にあっては、情報の項目数、重みづけ、抽象化、開示期間、更新頻度に応じた料金処理を行うことになる。なお、前記実施の形態では、前記プレゼンス情報を人に関するプレゼンス情報として説明したが、車や自販機などに関するプレゼンス情報の場合にも同様に適用できる。
【００８１】
図７は本発明の実施の他の形態によるプレゼンス情報利用方法を実施するためのプレゼンス情報利用システムを示す概念図である。
【００８２】
このプレゼンス情報利用システムは、移動体通信を含む通信ネットワーク１０と、プレゼンス情報提供者５１の情報提供者側端末装置２４，２５と、プレゼンス情報利用者６１の情報利用者側端末装置３１と、サーバ装置４２とから構成され、全ての端末装置２４，２５，３１およびサーバ装置４２は通信ネットワーク１０に接続されている。そして、情報提供者側端末装置２４，２５はプレゼンス情報生成手段２４５，２５４を持ち、情報利用者側端末装置３１はプレゼンス情報蓄積または統計処理手段３１３を持っている。サーバ装置４２は料金処理手段４２７を持っている。
【００８３】
図８は前記各端末装置２４，２５，３１およびサーバ装置４２の内部構成を詳細に示すブロック図である。ここでは、通信ネットワーク１０が省かれている。
【００８４】
情報提供側端末装置２４は、広告／案内受信手段２４１、応募／契約手段２４２、契約内容蓄積手段２４３、プレゼンス対象情報蓄積手段２４４、前記プレゼンス情報生成手段２４５およびプレゼンス情報送信手段２４６を有する。
【００８５】
これらのうち、広告／案内受信手段２４１はサーバ装置４２からの広告や案内情報を受信するように機能し、応募／契約手段２４２はサーバ装置４２との間でプレゼンス情報について応募や契約をするように機能する。また、プレゼンス情報生成手段２４５は、契約内容蓄積２４３に蓄積された前記契約の内容と、プレゼンス対象情報蓄積手段２４４に蓄積されたプレゼンス対象情報とにもとづいてプレゼンス情報を生成するように機能する。
【００８６】
なお、契約内容蓄積手段２４３は蓄積した契約内容を他の情報提供者側端末装置２５の契約内容蓄積手段２５１との間で送受信可能にしている。また、プレゼンス情報送信手段２４６はプレゼンス情報生成手段２５４で生成されたプレゼンス情報を情報利用者側端末３２へ送信するように機能する。これらの機能により、サーバ装置４２へプレゼンス情報の更新の都度、定時あるいは一定の情報の発生によりプレゼンス情報の送信が可能になる。
【００８７】
また、情報提供者側端末装置２５は、前記情報提供側端末装置２４におけるものと同様の機能を持つ、契約内容蓄積手段２４３と送受信可能な契約内容蓄積手段２５１、プレゼンス情報を蓄積するプレゼンス対象情報蓄積手段２５２、プレゼンス情報の生成を行うプレゼンス情報生成手段２５４およびプレゼンス情報送信手段２５５に加えて、外部センサ２３からの出力情報を蓄積するセンサ情報蓄積手段２５３を別に備えている。これらの機能により、サーバ装置４２へプレゼンス情報の更新の都度、定時あるいは一定の情報の発生によりプレゼンス情報の送信が可能になる。
【００８８】
一方、前記情報利用者側端末装置３１は、プレゼンス情報収集依頼手段３１１、プレゼンス情報受信手段３１２、前記プレゼンス情報蓄積または統計処理手段３１３および料金情報蓄積手段３１４を備えている。これらは図１に示したものと同一の構成、機能を有する。
【００８９】
前記サーバ装置４２は、プレゼンス情報収集受付手段４２１、広告案内手段４２２、応募受信／契約手段４２３、契約内容蓄積手段４２４、プレゼンス情報受信手段４２５、プレゼンス情報送信手段４２６および料金処理手段４２７を備えている。これらは、図１に示したものと略同一の構成、機能を有する。
【００９０】
図９は前記プレゼンス情報利用システムの動作を示すフローチャートである。このフローチャートを参照して、この実施形態によるプレゼンス情報利用方法を説明する。
【００９１】
まず、プレゼンス情報利用者６１はプレゼンス情報の情報利用者側端末装置３１のプレゼンス情報収集依頼手段３１１を通じてサーバ装置４２のプレゼンス情報収集受付手段４２１に情報の収集を依頼する（ステップＳ２０１）。このため、サーバ装置４２の広告／案内手段４２２は情報提供者側端末装置２４に対し広告および案内を送信する（ステップＳ２０２）。
【００９２】
情報提供者側端末装置２４はこれらの広告および案内を広告／案内受信手段２４２にて受信し、応募／契約手段２４２を通じてサーバ装置４の応募受信／契約手段４２３との間で応募や契約を交わす（ステップＳ２０３，Ｓ２０４）。これらの契約の内容は、各端末装置２４およびサーバ装置４２の契約内容蓄積手段２４３，４２４においてそれぞれ蓄積される。
【００９３】
一方、情報提供者側端末装置２４，２５では、前記契約内容とプレゼンス対象情報蓄積手段２４４，２５２から得られたプレゼンス対象情報とから、プレゼンス情報生成手段２４５，２５４がプレゼンス情報を生成する（ステップＳ２０５）。ここでは、プレゼンス対象情報の項目の前記簡略化、匿名化、抽象化が行われる。これらのプレゼンス情報はプレゼンス情報送信手段２４６，２５５をそれぞれ通じてサーバ装置４２に送信され（ステップＳ２０６）、プレゼンス情報受信手段４２５にて受信される。
【００９４】
サーバ装置４２はこの受信したプレゼンス情報を、プレゼンス情報送信手段４２６によりさらに情報利用者側端末装置３１へ送信する（ステップＳ２０７）。情報利用者側端末装置３１では、そのプレゼンス情報をプレゼンス情報受信手段３１２で受信し、プレゼンス情報蓄積または統計手段３１３でプレゼンス情報の蓄積または統計処理を行う（ステップＳ２１２）。
【００９５】
また、サーバ装置４２では、料金処理手段４２７が情報の項目数、重みづけ、抽象化、匿名化の有無、開示期間、更新頻度に応じた料金処理を行う（ステップＳ２０８）。そして、契約期間内であれば、ステップＳ２０５以降の処理に戻り（ステップＳ２０９）、契約期間満了であれば、サーバ装置４２は料金情報を情報利用者側端末装置３１へ送信する（ステップＳ２１０）。そして、情報利用者側端末装置３１は料金情報蓄積手段３１４にサーバ装置４２から料金情報を蓄積し、プレゼンス情報提供者５１に対し情報提供者に報酬の支払を行う（ステップＳ２１１）。支払は日本銀行券のほかネットマネー、ポイントなどにより行われる。
【００９６】
また、ステップＳ２０８にあっては、情報の項目数、重みづけ、抽象化、開示期間、更新頻度に応じた料金処理を行うことになる。なお、前記実施の形態では、前記プレゼンス情報を人に関するプレゼンス情報として説明したが、車や自販機などに関するプレゼンス情報の場合にも同様に適用できる。
【００９７】
【発明の効果】
本発明によれば、情報利用者側端末装置では、広告や案内に応募した情報提供者が提供するプレゼンス情報を統計処理することで、情報の必要性や重要性等に応じた報酬の支払を情報提供者に対して行うことができ、一方、情報提供者側端末装置では、前記応募を行い、プレゼンス情報を情報利用側端末装置へ提供することで、報酬の支払を受けることができる。また、情報提供者の氏名や住所等についての秘匿性を確保することができる。このプレゼンス情報は、情報利用者側が市場におけるマーケティングや商品開発のため利用のほか、商品として、あるいは高齢社会における介護者人の安否情報としての活用も可能になる。
【００９８】
本発明は、サーバ装置との契約にもとづいて情報提供側端末装置が提供するプレゼンス情報を、抽象化あるいは匿名化して情報利用者側端末装置に提供できるようにし、これらの抽象化や匿名化の程度に応じて、情報利用側端末装置がプレゼンス情報の統計処理および料金処理を行い、情報提供者にプレゼンス情報の重要度、必要度に応じた報酬の支払を行うという用途に適用できる。
【図面の簡単な説明】
【図１】本発明の実施形態によるプレゼンス情報利用方法を実現するプレゼンス情報利用システムを示すブロック図
【図２】図１に示すプレゼンス情報利用システムの構成を示す概念図
【図３】本発明におけるプレゼンス情報の概念および内容を示す説明図
【図４】本発明におけるプレゼンス情報の生成内容を示す説明図
【図５】本発明における料金処理手段による料金処理の内容を示す説明図
【図６】図１に示すプレゼンス情報利用システムによるプレゼンス利用の手順を示すフローチャート
【図７】本発明の他の実施形態によるプレゼンス情報利用方法を実現するプレゼンス情報利用システムを示す概念図
【図８】図７に示すプレゼンス情報利用システムのブロック図
【図９】図７に示すプレゼンス情報利用システムによるプレゼンス利用の手順を示すフローチャート
【符号の説明】
１０…通信ネットワーク、２１，２２，２４，２５…情報提供者側端末装置、３１…情報利用者側端末装置、２１２，２４２…応募／契約手段、２１５，２２４…プレゼンス対象情報送信手段、２４５，２５４，４１６…プレゼンス情報生成手段、２４６，２５５，４１７…プレゼンス情報送信手段、４１２，４２２…広告／案内手段、４１３，４２３…応募受信／契約手段、３１２…プレゼンス情報受信手段、３１３…プレゼンス情報蓄積または統計処理手段、３１４…料金情報蓄積手段、４１，４２…サーバ装置、４１８，４２７…料金処理手段。
【図１】
2005031965.tif 000003
【図２】
2005031965.tif 000004
【図３】
2005031965.tif 000005
【図４】
2005031965.tif 000006
【図５】
2005031965.tif 000007
【図６】
2005031965.tif 000008
【図７】
2005031965.tif 000009
【図８】
2005031965.tif 000010
【図９】
2005031965.tif 000011